(57)【特許請求の範囲】
【請求項１】
１本の上部光線路と光分岐素子によって分岐された複数の下部光線路からなる光線路の下方端部における特定波長を遮断する光フィルタの有無を判定する光線路の光フィルタ有無確認方法において、
上部光線路の上方端部から光フィルタの遮断域にある波長λ１の光と透過域にある波長λ２の光を入射する光入射ステップと、
判定対象の下部光線路に曲げ部を設け、該曲げ部における上方から下方に向かう波長λ１、λ２の漏洩光と下方から上方に向かう波長λ１、λ２の漏洩光のパワーを測定する光パワー測定ステップと、
波長λ１、λ２における上方から下方に向かう漏洩光のパワーと下方から上方に向かう漏洩光のパワーの波長λ１、λ２のパワーレベル差ΔＰＵＰ，ΔＰＤｏｗｎを求めて後、前記パワーレベル差ΔＰＵＰとΔＰＤｏｗｎがほぼ等しければ光フィルタ無しと判定し、パワーレベル差ΔＰＵＰがΔＰＤｏｗｎより小さければ光フィルタ有りと判定する判定ステップと
よりなることを特徴とする光線路の光フィルタ有無確認方法。
【請求項２】
１本の上部光線路と光分岐素子によって分岐された複数の下部光線路からなる光線路の下方端部における特定波長を遮断する光フィルタの有無を判定する光線路の光フィルタ有無確認方法において、
上部光線路の上方端部から光フィルタの遮断域にある波長λ１の光を周波数ｆ１で変調した変調光と透過域にある波長λ２の光を周波数ｆ２で変調した変調光を入射する光入射ステップと、
判定対象の下部光線路に曲げ部を設け、該曲げ部における上方から下方に向かう波長λ１、λ２の光を周波数ｆ１，ｆ２で変調した変調光の漏洩光と下方から上方に向かう波長λ１、λ２の光を周波数ｆ１，ｆ２で変調した変調光の漏洩光のパワーを測定する光パワー測定ステップと、
波長λ１、λ２の光を周波数ｆ１，ｆ２で変調した変調光における上方から下方に向かう漏洩光のパワーと下方から上方に向かう漏洩光のパワーの波長λ１、λ２の光を周波数ｆ１，ｆ２で変調した変調光のパワーレベル差ΔＰＵＰ，ΔＰＤｏｗｎを求めて後、前記パワーレベル差ΔＰＵＰとΔＰＤｏｗｎがほぼ等しければ光フィルタ無しと判定し、パワーレベル差ΔＰＵＰがΔＰＤｏｗｎより小さければ光フィルタ有りと判定する判定ステップと
よりなることを特徴とする光線路の光フィルタ有無確認方法。
【請求項３】
判定対象の下部光線路に曲げ部を１箇所設け、２個の光電変換素子を用いて上方から下方に向かう漏洩光のパワー及び下方かう上方に向かう漏洩光のパワーを測定することを特徴とする請求項１又は２に記載の光線路の光フィルタ有無確認方法。
【請求項４】
判定対象の下部光線路に曲げ部を２箇所設け、１個の光電変換素子を用いて上方から下方に向かう漏洩光のパワー及び下方かう上方に向かう漏洩光のパワーをそれぞれの曲げ部で別々に測定することを特徴とする請求項１又は２に記載の光線路の光フィルタ有無確認方法。
【請求項５】
１本の上部光線路と光分岐素子によって分岐された複数の下部光線路からなる光線路の下方端部における特定波長を遮断する光フィルタの有無を判定する光フィルタ有無確認装置において、
判定対象の下部光線路の曲げ部に設けられ、該曲げ部における上方から下方に向かう波長λ１、λ２の漏洩光と下方から上方に向かう波長λ１、λ２の漏洩光を検出して電気信号に変換する光電変換素子と、
前記光電変換素子からの電気信号が入力され、波長λ１、λ２に対応する電気信号のパワーを識別して検知するパワーモニタ部と、
前記パワーモニタ部で検知された波長λ１、λ２に対応する電気信号のパワーから波長λ１、λ２のパワーレベル差ΔＰＵＰ，ΔＰＤｏｗｎを求め、前記パワーレベル差ΔＰＵＰとΔＰＤｏｗｎを比較して光フィルタの有無を判定するフィルタ判別処理部と
を具備することを特徴とする光フィルタ有無確認装置。
【請求項６】
１本の上部光線路と光分岐素子によって分岐された複数の下部光線路からなる光線路の下方端部における特定波長を遮断する光フィルタの有無を判定する光フィルタ有無確認装置において、
判定対象の下部光線路の曲げ部に設けられ、該曲げ部における上方から下方に向かう波長λ１、λ２の光を周波数ｆ１，ｆ２で変調した変調光の漏洩光と下方から上方に向かう波長λ１、λ２の光を周波数ｆ１，ｆ２で変調した変調光の漏洩光を検出して電気信号に変換する光電変換素子と、
前記光電変換素子からの電気信号が入力され、波長λ１、λ２の光を周波数ｆ１，ｆ２で変調した変調光に対応する電気信号のパワーを識別して検知する帯域フィルタを備えたパワーモニタ部と、
前記パワーモニタ部で検知された波長λ１、λ２の光を周波数ｆ１，ｆ２で変調した変調光に対応する電気信号のパワーから波長λ１、λ２の光を周波数ｆ１，ｆ２で変調した変調光のパワーレベル差ΔＰＵＰ，ΔＰＤｏｗｎを求め、前記パワーレベル差ΔＰＵＰとΔＰＤｏｗｎを比較して光フィルタの有無を判定するフィルタ判別処理部と
を具備することを特徴とする光フィルタ有無確認装置。
【請求項７】
光電変換素子を２個設けたことを特徴とする請求項５又は６に記載の光フィルタ有無確認装置。
【請求項８】
光電変換素子を１個設けたことを特徴とする請求項５又は６に記載の光フィルタ有無確認装置。
【発明の詳細な説明】
【技術分野】
【０００１】
本発明は、１本の上部光線路と光分岐素子によって分岐された複数の下部光線路からなる光線路の下方端部における特定波長を遮断する光フィルタの有無を判定する光線路の光フィルタ有無確認方法及び光フィルタ有無確認装置に関する。
【０００２】
例えば、局舎とユーザ宅を光ファイバで結ぶＦＴＴＨ（Ｆｉｂｅｒ  ｔｏ  ｔｈｅ  ｈｏｍｅ）サービスを提供する光アクセスネットワークにおいて、局舎外に設置された光スプリッタなどの光分岐素子による分岐を有するネットワーク形態（ＰＯＮ：Ｐａｓｓｉｖｅ  Ｏｐｔｉｃａｌ  Ｎｅｔｗｏｒｋ、以下ＰＯＮという）を用いる場合に、該光スプリッタが配置されている分岐点よりもユーザ宅側における引き落とし点（新規工事点）において光ファイバ心線のユーザ用伝送装置側に設けられた試験光遮断フィルタの有無を判定することにより、現用光ファイバ心線と非現用光ファイバ心線の区別を推定することができる。
【０００３】
現用光ファイバ心線とは既に特定のユーザによって使用されている光ファイバ心線を意味し、非現用光ファイバ心線とはどのユーザにも使用されていない光ファイバ心線を意味する。
【０００４】
分岐点よりもユーザ宅側の光ファイバ心線において工事等の必要から現用光ファイバ心線を切断することがないように確認するために行われる。
【背景技術】
【０００５】
従来技術では光線路の局舎外に設置された分岐点から下部の光ファイバ心線における新規工事点において、その工事対象となる光ファイバ心線を確認するのに、該光ファイバ心線を物理的に追って、かつ視覚的に光ファイバ心線の順番と色で確認する必要があった。
【０００６】
また、シングルスター網の場合には、局舎内から非現用光ファイバ心線に試験光を入射し、新規工事点である現地にて光ファイバ心線から漏れて出射する漏れ試験光を検出する作業（心線対照作業）によって、作業者がこれから切断しようとする光ファイバ心線を確認することが出来ていた。
【０００７】
しかし、従来技術では新規工事点から離れている光スプリッタを確認し、そこから物理的に配線している光ファイバ心線の色および順番を確認する必要がある。また、心線対照作業による確認方法はシングルスター網の場合に限り、網形態が局舎外に光スプリッタを配置するようなＰＯＮの場合には適用することが出来ないという問題を有していた。
【０００８】
また、従来技術として、局舎から複数波長によって試験光を光ファイバ心線に入力し、試験光遮断フィルタの反射特性を利用して、戻ってくる反射光のレベル差から遠隔に判定するものがある（例えば、特許文献１参照。）。
【０００９】
しかしながら、特許文献１の技術は、シングルスター網構成に対応可能な技術であって、ＰＯＮ構成には対応できない。
【００１０】
【特許文献１】特開２００２−１３１１７８号公報
【発明の開示】
【発明が解決しようとする課題】
【００１１】
本発明は上記の事情に鑑みてなされたもので、１本の上部光線路と光分岐素子によって分岐された複数の下部光線路からなる光線路の下方端部における特定波長を遮断する光フィルタの有無を判定する光線路の光フィルタ有無確認方法及び光フィルタ有無確認装置を提供することを目的とする。
【課題を解決するための手段】
【００１２】
上記目的を達成するために本発明は、１本の上部光線路と光分岐素子によって分岐された複数の下部光線路からなる光線路の下方端部における特定波長を遮断する光フィルタの有無を判定する光線路の光フィルタ有無確認方法において、上部光線路の上方端部から光フィルタの遮断域にある波長λ１の光と透過域にある波長λ２の光を入射する光入射ステップと、判定対象の下部光線路に曲げ部を設け、該曲げ部における上方から下方に向かう波長λ１、λ２の漏洩光と下方から上方に向かう波長λ１、λ２の漏洩光のパワーを測定する光パワー測定ステップと、波長λ１、λ２における上方から下方に向かう漏洩光のパワーと下方から上方に向かう漏洩光のパワーの波長λ１、λ２のパワーレベル差ΔＰＵＰ，ΔＰＤｏｗｎを求めて後、前記パワーレベル差ΔＰＵＰとΔＰＤｏｗｎがほぼ等しければ光フィルタ無しと判定し、パワーレベル差ΔＰＵＰがΔＰＤｏｗｎより小さければ光フィルタ有りと判定する判定ステップとよりなることを特徴とする。
【００１３】
また本発明は、１本の上部光線路と光分岐素子によって分岐された複数の下部光線路からなる光線路の下方端部における特定波長を遮断する光フィルタの有無を判定する光線路の光フィルタ有無確認方法において、上部光線路の上方端部から光フィルタの遮断域にある波長λ１の光を周波数ｆ１で変調した変調光と透過域にある波長λ２の光を周波数ｆ２で変調した変調光を入射する光入射ステップと、判定対象の下部光線路に曲げ部を設け、該曲げ部における上方から下方に向かう波長λ１、λ２の光を周波数ｆ１，ｆ２で変調した変調光の漏洩光と下方から上方に向かう波長λ１、λ２の光を周波数ｆ１，ｆ２で変調した変調光の漏洩光のパワーを測定する光パワー測定ステップと、波長λ１、λ２の光を周波数ｆ１，ｆ２で変調した変調光における上方から下方に向かう漏洩光のパワーと下方から上方に向かう漏洩光のパワーの波長λ１、λ２の光を周波数ｆ１，ｆ２で変調した変調光のパワーレベル差ΔＰＵＰ，ΔＰＤｏｗｎを求めて後、前記パワーレベル差ΔＰＵＰとΔＰＤｏｗｎがほぼ等しければ光フィルタ無しと判定し、パワーレベル差ΔＰＵＰがΔＰＤｏｗｎより小さければ光フィルタ有りと判定する判定ステップとよりなることを特徴とする。
【００１４】
また本発明は、前記光線路の光フィルタ有無確認方法において、判定対象の下部光線路に曲げ部を１箇所設け、２個の光電変換素子を用いて上方から下方に向かう漏洩光のパワー及び下方かう上方に向かう漏洩光のパワーを測定することを特徴とする。
【００１５】
また本発明は、前記光線路の光フィルタ有無確認方法において、判定対象の下部光線路に曲げ部を２箇所設け、１個の光電変換素子を用いて上方から下方に向かう漏洩光のパワー及び下方かう上方に向かう漏洩光のパワーをそれぞれの曲げ部で別々に測定することを特徴とする。
【００１６】
また本発明は、１本の上部光線路と光分岐素子によって分岐された複数の下部光線路からなる光線路の下方端部における特定波長を遮断する光フィルタの有無を判定する光フィルタ有無確認装置において、判定対象の下部光線路の曲げ部に設けられ、該曲げ部における上方から下方に向かう波長λ１、λ２の漏洩光と下方から上方に向かう波長λ１、λ２の漏洩光を検出して電気信号に変換する光電変換素子と、前記光電変換素子からの電気信号が入力され、波長λ１、λ２に対応する電気信号のパワーを識別して検知するパワーモニタ部と、前記パワーモニタ部で検知された波長λ１、λ２に対応する電気信号のパワーから波長λ１、λ２のパワーレベル差ΔＰＵＰ，ΔＰＤｏｗｎを求め、前記パワーレベル差ΔＰＵＰとΔＰＤｏｗｎを比較して光フィルタの有無を判定するフィルタ判別処理部とを具備することを特徴とするものである。
【００１７】
また本発明は、１本の上部光線路と光分岐素子によって分岐された複数の下部光線路からなる光線路の下方端部における特定波長を遮断する光フィルタの有無を判定する光フィルタ有無確認装置において、判定対象の下部光線路の曲げ部に設けられ、該曲げ部における上方から下方に向かう波長λ１、λ２の光を周波数ｆ１，ｆ２で変調した変調光の漏洩光と下方から上方に向かう波長λ１、λ２の光を周波数ｆ１，ｆ２で変調した変調光の漏洩光を検出して電気信号に変換する光電変換素子と、前記光電変換素子からの電気信号が入力され、波長λ１、λ２の光を周波数ｆ１，ｆ２で変調した変調光に対応する電気信号のパワーを識別して検知する帯域フィルタを備えたパワーモニタ部と、前記パワーモニタ部で検知された波長λ１、λ２の光を周波数ｆ１，ｆ２で変調した変調光に対応する電気信号のパワーから波長λ１、λ２の光を周波数ｆ１，ｆ２で変調した変調光のパワーレベル差ΔＰＵＰ，ΔＰＤｏｗｎを求め、前記パワーレベル差ΔＰＵＰとΔＰＤｏｗｎを比較して光フィルタの有無を判定するフィルタ判別処理部とを具備することを特徴とするものである。
【００１８】
また本発明は、前記光フィルタ有無確認装置において、光電変換素子を２個設けたことを特徴とするものである。
【００１９】
また本発明は、前記光フィルタ有無確認装置において、光電変換素子を１個設けたことを特徴とするものである。
【発明の効果】
【００２０】
本発明の光線路の光フィルタ有無確認方法及び光フィルタ有無確認装置は、１本の上部光線路と光分岐素子によって分岐された複数の下部光線路からなる光線路の下方端部における特定波長を遮断する光フィルタの有無を判定することができる。すなわち、前記光フィルタの有無を判定することにより、現用光ファイバ心線と非現用光ファイバ心線の区別を推定することができる。例えば、ＰＯＮ構成において、分岐点よりユーザ宅側の光ファイバ心線における新規工事点で現用光ファイバ心線と非現用光ファイバ心線の区別をすることができるため、工事等の必要から現用光ファイバ心線を切断することがないように確認することができる。
【発明を実施するための最良の形態】
【００２１】
以下図面を参照して本発明の実施の形態を詳細に説明する。
図１は本発明の一実施形態に係る光フィルタ有無確認システムを示す構成説明図であり、ＦＴＴＨを実現するＰＯＮの構成を示す。
【００２２】
図１に示すように、通信局の局舎１１内には波長λ１、λ２の光を発生する二波長光源１２及び伝送装置（ＯＬＴ：Ｏｐｔｉｃａｌ  Ｌｉｎｅ  Ｔｅｒｍｉｎａｌ、光加入者線終端装置）１３が設けられ、前記光源１２及び伝送装置１３は光線路で試験光挿入用光カプラ１４に接続される。前記試験光挿入用光カプラ１４は１本の上部光線路を構成する光ファイバケーブル１５で局舎１１外の光分岐させる光スプリッタ１６に接続され、前記光スプリッタ１６の第１の分岐部には下部光線路を構成する現用光ファイバ心線（開通芯線）１７により光線路の下方端部に特定波長の試験光を遮断すると共に通信光を透過する例えばＦＢＧフィルタ等の試験光遮断フィルタ１８を介してユーザ用伝送装置（ＯＮＵ：Ｏｐｔｉｃａｌ  Ｎｅｔｗｏｒｋ  Ｕｎｉｔ、光加入者線終端装置）１９が接続される。尚、下部光線路を構成する光ファイバ心線の試験のために光パルス試験を行う必要から、試験光がユーザ用伝送装置１９によって受光されエラーにならないように試験光遮断フィルタ１８をユーザ用伝送装置１９の直前に挿入する。
【００２３】
前記光スプリッタ１６の第２の分岐部には下部光線路を構成する現用光ファイバ心線（開通芯線）２０により特定波長の試験光を遮断すると共に通信光を透過する例えばＦＢＧフィルタ等の試験光遮断フィルタ２１を介してユーザ用伝送装置（ＯＮＵ：Ｏｐｔｉｃａｌ  Ｎｅｔｗｏｒｋ  Ｕｎｉｔ、光加入者線終端装置）２２が接続される。尚、下部光線路を構成する光ファイバ心線の試験のために光パルス試験を行う必要から、試験光がユーザ用伝送装置２２によって受光されエラーにならないように試験光遮断フィルタ２１をユーザ用伝送装置２２の直前に挿入する。
【００２４】
前記光スプリッタ１６の第３の分岐部には下部光線路を構成する非現用光ファイバ心線（未開通芯線）２３が接続され、前記非現用光ファイバ心線２３の端部は切りっぱなし、もしくはコネクタによって終端されており、いわゆる開放端２４として処理されている。
【００２５】
前記光スプリッタ１６の第４の分岐部には下部光線路を構成する工事対象光ファイバ心線２５が接続され、前記工事対象光ファイバ心線２５には曲げ部２６が設けられる。
【００２６】
前記曲げ部２６には光フィルタ有無確認装置２７の例えばフォトダイオード等の第１の光電変換素子２８及び例えばフォトダイオード等の第２の光電変換素子２９が配置して設けられる。
【００２７】
前記第１の光電変換素子２８の出力端には第１のパワーモニタ部（上り光パワーモニタ部）３０の入力端に接続され、前記第１のパワーモニタ部３０の出力端は例えばメモリ、判定ロジック等よりなるフィルタ判別処理部３１に接続される。前記第２の光電変換素子２９の出力端は第２のパワーモニタ部（下り光パワーモニタ部）３２の入力端に接続され、前記第２のパワーモニタ部３２の出力端はフィルタ判別処理部３１に接続される。
【００２８】
前記第１のパワーモニタ部３０及び第２のパワーモニタ部３２にはそれぞれ対応して周波数ｆ１，ｆ２を識別（ｆ１／ｆ２識別）する帯域フィルタが内蔵される。図１中、点線３３は新規工事点を示す。
【００２９】
すなわち、現用光ファイバ心線または非現用光ファイバ心線によって設備構成が異なることを利用して、具体的には試験光遮断フィルタの有無によって、現用光ファイバ心線または非現用光ファイバ心線の判別を行うものである。
【００３０】
本実施形態では局舎１１内から二波長光源１２を用いて試験を行う試験者と、新規工事点３３において作業する作業者がそれぞれ派遣されており、試験者と作業者は互いに通信手段を有するものである。
【００３１】
図２及び図３は本発明の実施形態に係る光フィルタ有無確認方法を示すフローチャートである。先ず、ステップＳ１において、試験者が局舎１１内の光ファイバケーブル１５の上方端部にある試験光挿入用光カプラ１４から、工事対象光ファイバ心線２５に対して、二波長光源１２によって光波長λ１を持つ試験光を入力する。二波長光源１２からの試験光は連続光でも周波数ｆ１で変調された変調光でも良い。
【００３２】
特定の周波数ｆ１で変調された変調光を用いれば、光フィルタ有無確認装置２７の第１のパワーモニタ部３０及び第２のパワーモニタ部３２にそれぞれ対応して変調周波数に応じた帯域フィルタを備えることによって、その変調光のみを検知できる。そのため、例えば、信号光など連続光に準じた他の光の影響を受けることがなくなり、変調光の測定がより確実になる効果がある。
【００３３】
ステップＳ２において、作業者は新規工事点３３で工事対象光ファイバ心線２５に入力された試験光からの漏洩光を光フィルタ有無確認装置２７によって受光する。
【００３４】
光フィルタ有無確認装置２７は、曲げ部２６における試験光からの漏洩光を第１の光電変換素子２８及び第２の光電変換素子２９で検出し、第１のパワーモニタ部３０及び第２のパワーモニタ部３２で試験光からの漏洩光のパワーを検知することができる。第１の光電変換素子２８は局舎１１（上方）からユーザ宅（下方）に向かう試験光からの漏洩光を検知することができ、第２の光電変換素子２９はユーザ宅（下方）から局舎１１（上方）に向かう試験光からの漏洩光を検知する。
【００３５】
このときの光フィルタ有無確認装置２７での受光パワーレベルは次式であらわされる。
Ｐ（λ１）ＵＰ＝Ｐλ１，ｉｎｐｕｔ−Ｌ１λ１−ＳＰλ１−Ｅλ１      （１）
Ｐ（λ１）Ｄｏｗｎ＝Ｐλ１，ｉｎｐｕｔ−Ｌ１λ１−ＳＰλ１−Ｅλ１―Ｌ２λ１−γλ１    （２）
Ｐ（λ１）ＵＰは第１のパワーモニタ部３０において光波長λ１で受光するパワーレベル、
Ｐ（λ１）Ｄｏｗｎは第２のパワーモニタ部３２において光波長λ１で受光するパワーレベル、
Ｐλ１，ｉｎｐｕｔは光波長λ１の入力パワー、Ｌ１λ１は光波長λ１における新規工事点３３までの光線路の損失（光スプリッタを除く）、ＳＰλ１は光波長λ１の光スプリッタ１６の損失、Ｅλ１は光波長λ１の光フィルタ有無確認装置２７の損失、Ｌ２λ１は光波長λ１の新規工事点３３から光線路遠端までの往復損失、γλ１は光波長λ１の遠端反射部分における反射減衰量を表している。
【００３６】
後述するが、γλ１は光波長および試験光遮断フィルタの有無によって損失が大きく変化する。
【００３７】
また、入力パワーの条件として、
ユーザ用伝送装置１９，２２に影響を与えないようにするために、
Ｐλ１，ｉｎｐｕｔ−Ａ≧Ｐλ２，ｉｎｐｕｔ
を満たす必要がある。
【００３８】
Ａはユーザ用伝送装置１９，２２に影響を与えない程度の遮断量を表す。試験光遮断フィルタ１８，２１はその種別によりその遮断量が異なるが、ＦＢＧを用いるフィルタの場合概ね３０ｄＢ以上備えている。
【００３９】
ステップＳ３において、第１の光電変換素子２８及び第２の光電変換素子２９で受光できなかった（ＮＯ）の場合は、ステップＳ４において、原因を解析し、対象誤り、過剰損失発生、受光感度不足等を検討する。
【００４０】
ステップＳ３において、第１の光電変換素子２８及び第２の光電変換素子２９で受光できた（ＹＥＳ）の場合は、ステップＳ５において、フィルタ判別処理部３１のメモリに記録する。すなわち、
ΔＭ１−（λ１）ＵＰ＝Ｐ（λ１）ＵＰ
ΔＭ１−（λ１）Ｄｏｗｎ＝Ｐ（λ１）Ｄｏｗｎ
【００４１】
次に、ステップＳ６において、試験者が局舎１１内の光ファイバケーブル１５の上方端部にある試験光挿入用光カプラ１４から、工事対象光ファイバ心線２５に対して、二波長光源１２によって光波長λ２を持つ試験光を入力する。二波長光源１２からの試験光は連続光でも周波数ｆ２で変調された変調光でも良い。
【００４２】
特定の周波数ｆ２で変調された変調光を用いれば、光フィルタ有無確認装置２７の第１のパワーモニタ部３０及び第２のパワーモニタ部３２にそれぞれ対応して変調周波数に応じた帯域フィルタを備えることによって、その変調光のみを検知できる。そのため、例えば、信号光など連続光に準じた他の光の影響を受けることがなくなり、変調光の測定がより確実になる効果がある。
【００４３】
ステップＳ７において、作業者は新規工事点３３で工事対象光ファイバ心線２５に入力された試験光からの漏洩光を光フィルタ有無確認装置２７によって受光する。
【００４４】
光フィルタ有無確認装置２７は、曲げ部２６における試験光からの漏洩光を第１の光電変換素子２８及び第２の光電変換素子２９で検出し、第１のパワーモニタ部３０及び第２のパワーモニタ部３２で試験光からの漏洩光のパワーを検知することができる。第１の光電変換素子２８は局舎１１（上方）からユーザ宅（下方）に向かう試験光からの漏洩光を検知することができ、第２の光電変換素子２９はユーザ宅（下方）から局舎１１（上方）に向かう試験光からの漏洩光を検知する。
【００４５】
尚、光波長λ１、λ２の光をそれぞれ周波数ｆ１、ｆ２で変調した変調光を用いれば、２波長の光を同時に入力し、同時に受光しても、これらの光を識別して検知することも可能となるため、測定の手間を省くことができる。
【００４６】
このときの光フィルタ有無確認装置２７での受光パワーレベルは次式であらわされる。
上述した式（１），（２）と同様であるがλ１がλ２に対応して変化する。
Ｐ（λ２）ＵＰ＝Ｐλ２，ｉｎｐｕｔ−Ｌ１λ２−ＳＰλ２−Ｅλ２      （３）
Ｐ（λ２）Ｄｏｗｎ＝Ｐλ２，ｉｎｐｕｔ−Ｌ１λ２−ＳＰλ２−Ｅλ２―Ｌ２λ２−γλ２    （４）
Ｐ（λ２）ＵＰは第１のパワーモニタ部３０において光波長λ２で受光するパワーレベル、
Ｐ（λ２）Ｄｏｗｎは第２のパワーモニタ部３２において光波長λ２で受光するパワーレベル、
Ｐλ２，ｉｎｐｕｔは光波長λ２の入力パワー、Ｌ１λ２は光波長λ２における新規工事点３３までの光線路の損失（光スプリッタを除く）、ＳＰλ２は光波長λ２の光スプリッタ１６の損失、Ｅλ２は光波長λ２の光フィルタ有無確認装置２７の損失、Ｌ２λ２は光波長λ２の新規工事点３３から光線路遠端までの往復損失、γλ２は光波長λ２の遠端反射部分における反射減衰量を表している。
【００４７】
後述するが、γλ２は光波長および試験光遮断フィルタの有無によって損失が大きく変化する。
【００４８】
図４は本発明の実施形態に係る試験光遮断フィルタ・開放端の波長依存特性を示す図であり、点線が反射減衰特性、実線が透過損失特性である。
試験光遮断フィルタ１８，２１は特定の試験光を遮断させてそれ以外の光を透過させるために図４の点線のような波長特性を持つ。波長λＣでは高い反射特性を持ち、一方で波長λＬよりも短い波長、もしくは波長λＨよりも長い波長についてはほとんど光を透過させる。その反射減衰量については
γＦ（λｃ）＝０（ｄＢ）
γＦ（λ）＝Ｆ（ｄＢ）      （λ＜λＬまたはλ＞λＨ）
となる。このとき、Ａはユーザ宅伝送装置に影響を与えない程度の遮断量を表す。試験光遮断フィルタ１８，２１はその種別によりその遮断量が異なるが、ＦＢＧを用いるフィルタの場合概ね３０ｄＢ以上備えている。
【００４９】
また開放端については媒質の異なる面での反射、いわゆるフレネル反射が生じることになる。フレネル反射はほぼ波長依存性がないため、図４の破線のようになりその反射減衰量γＮ≒１４（ｄＢ）である。
【００５０】
そこで、λ１を試験光遮断フィルタの高い反射特性をもつλｃ付近に設定し、λ２をλ２＜λＬもしくはλ２＞λＨに設定することができる。図２及び図３中ではλＬより短波長側に設定している。
【００５１】
ステップＳ８において、第１の光電変換素子２８及び第２の光電変換素子２９で受光できなかった（ＮＯ）の場合は、ステップＳ９において、原因を解析し、過剰損失発生、受光感度不足等を検討する。
【００５２】
ステップＳ８において、第１の光電変換素子２８及び第２の光電変換素子２９で受光できた（ＹＥＳ）の場合は、ステップＳ１０において、フィルタ判別処理部３１のメモリに記録する。すなわち、
ΔＭ２−（λ２）ＵＰ＝Ｐ（λ２）ＵＰ
ΔＭ２−（λ２）Ｄｏｗｎ＝Ｐ（λ２）Ｄｏｗｎ
ステップＳ１１において、フィルタ判別処理部３１で波長の違いによるパワーレベル差を比較し、式（１）−式（３）、式（２）−式（４）を計算する。すなわち、
ΔＰＵＰ＝ΔＭ１−（λ１）ＵＰ−ΔＭ２−（λ２）ＵＰ
＝Ｐ（λ１）ＵＰ―Ｐ（λ２）ＵＰ
ΔＰＤｏｗｎ＝ΔＭ１−（λ１）Ｄｏｗｎ−ΔＭ２−（λ２）Ｄｏｗｎ
＝Ｐ（λ１）Ｄｏｗｎ―Ｐ（λ２）Ｄｏｗｎ
【００５３】
次に、ステップＳ１２、Ｓ１４において、フィルタ判別処理部３１で光線路の上下方向のパワーレベル差を比較する。
【００５４】
ステップＳ１２において、ΔＰＤｏｗｎ＞閾値ＸｄＢ≫ΔＰＵＰであれば、ステップＳ１３において、対象とする光線路の下方端部における試験光遮断フィルタ（ＦＢＧフィルタ）有りと判定し、現用光ファイバ心線と確認して終了する。
【００５５】
一方、ステップＳ１２において、ΔＰＤｏｗｎ＞閾値ＸｄＢ≫ΔＰＵＰでなく、ステップＳ１４において、ΔＰＤｏｗｎ≒ΔＰＵＰ＜閾値ＹｄＢであれば、ステップＳ１５において、対象とする光線路の下方端部における試験光遮断フィルタ（ＦＢＧフィルタ）無しと判定し、非現用光ファイバ心線と確認して終了する。
【００５６】
ステップＳ１４において、ΔＰＤｏｗｎ≒ΔＰＵＰ＜閾値ＹｄＢでなければ、グレーゾーンとしてステップＳ１に戻り再測定する。
【００５７】
尚、Ｌ２が非常に短い光線路であり、波長差によるパワーレベルにほとんど変化ない場合、Ｌ２≒０ｄＢとみなせる。また、λ１とλ２の波長において近接する波長間である場合、波長差によるケーブル損失はほとんど同じであるため、Ｌ２は波長差によってほとんど変わらない値となる。
【００５８】
図５は本発明の他の実施形態に係る光フィルタ有無確認システムを示す構成説明図であり、ＦＴＴＨを実現するＰＯＮの構成を示す。図５中、図１と同一部分は同一符号を付してその説明を省略する。
【００５９】
図５において、２６１，２６２は曲げ部、３３１，３３２は新規工事点、４１は光フィルタ有無確認装置、４２は例えばフォトダイオード等の光電変換素子、４３はパワーモニタ部、４４はフィルタ判別処理部である。
【００６０】
図５の実施形態は一つの光電変換素子４２を持つ光フィルタ有無確認装置４１で、工事対象光ファイバ心線２５に２箇所曲げ部２６１，２６２を設けて光線路の上下方向をそれぞれ別に受光する。光線路の上り下りの受光を一つの光フィルタ有無確認装置４１で行うため工程が増えることになるが、基本的な動作原理は図１の実施形態と変わらない。
【００６１】
前記２箇所の曲げ部２６１，２６２には光フィルタ有無確認装置４１の光電変換素子４２がそれぞれ別につかみなおされて配置される。
【００６２】
前記光電変換素子４２の出力端にはパワーモニタ部４３の入力端に接続され、前記パワーモニタ部４３の出力端は例えばメモリ、判定ロジック等よりなるフィルタ判別処理部４４に接続される。
【００６３】
前記パワーモニタ部４３には周波数ｆ１，ｆ２を識別（ｆ１／ｆ２識別）する帯域フィルタが内蔵される。図５中、点線３３１，３３２は上り測定の新規工事点及び下り測定の新規工事点を示す。
【００６４】
図６及び図７は本発明の他の実施形態に係る光フィルタ有無確認方法を示すフローチャートである。先ず、光フィルタ有無確認装置４１は光電変換素子４２が工事対象光ファイバ心線２５の曲げ部２６１の位置になるように新規工事点３３１に配置される。ステップＳ２１において、試験者が局舎内の光ファイバケーブル１５の上方端部にある試験光挿入用光カプラから、工事対象光ファイバ心線２５に対して、二波長光源によって光波長λ１を持つ試験光を入力する。二波長光源からの試験光は連続光でも周波数ｆ１で変調された変調光でも良い。
【００６５】
特定の周波数ｆ１で変調された変調光を用いれば、光フィルタ有無確認装置４１のパワーモニタ部４３に変調周波数に応じた帯域フィルタを備えることによって、その変調光のみを検知できる。そのため、例えば、信号光など連続光に準じた他の光の影響を受けることがなくなり、変調光の測定がより確実になる効果がある。
【００６６】
ステップＳ２２において、作業者は新規工事点３３１で工事対象光ファイバ心線２５に入力された試験光からの漏洩光を光フィルタ有無確認装置４１によって受光する。
【００６７】
光フィルタ有無確認装置４１は、曲げ部２６１における試験光からの漏洩光を光電変換素子４２で検出し、パワーモニタ部４３で試験光からの漏洩光のパワーを検知することができる。光電変換素子４２は局舎（上方）からユーザ宅（下方）に向かう順方向の試験光からの漏洩光を検知する。
【００６８】
このときの光フィルタ有無確認装置４１での受光パワーレベルは次式であらわされる。
Ｐ（λ１）ＵＰ＝Ｐλ１，ｉｎｐｕｔ−Ｌ１λ１−ＳＰλ１−Ｅλ１      （１）
Ｐ（λ１）ＵＰはパワーモニタ部４３において光波長λ１で受光するパワーレベル、
Ｐλ１，ｉｎｐｕｔは光波長λ１の入力パワー、Ｌ１λ１は光波長λ１における新規工事点３３１までの光線路の損失（光スプリッタを除く）、ＳＰλ１は光波長λ１の光スプリッタ１６の損失、Ｅλ１は光波長λ１の光フィルタ有無確認装置４１の損失を表している。
【００６９】
ステップＳ２３において、光電変換素子４２で受光できなかった（ＮＯ）の場合は、ステップＳ２４において、原因を解析し、対象誤り、過剰損失発生、受光感度不足等を検討する。
【００７０】
ステップＳ２３において、光電変換素子４２で受光できた（ＹＥＳ）の場合は、ステップＳ２５において、フィルタ判別処理部４４のメモリに記録する。すなわち、
ΔＭ１−（λ１）ＵＰ＝Ｐ（λ１）ＵＰ
次に、ステップＳ２６において、試験者が局舎内の光ファイバケーブル１５の上方端部にある試験光挿入用光カプラから、工事対象光ファイバ心線２５に対して、二波長光源によって光波長λ２を持つ試験光を入力する。二波長光源からの試験光は連続光でも周波数ｆ２で変調された変調光でも良い。
【００７１】
特定の周波数ｆ２で変調された変調光を用いれば、光フィルタ有無確認装置４１のパワーモニタ部４３にそれぞれ対応して変調周波数に応じた帯域フィルタを備えることによって、その変調光のみを検知できる。そのため、例えば、信号光など連続光に準じた他の光の影響を受けることがなくなり、変調光の測定がより確実になる効果がある。
【００７２】
ステップＳ２７において、作業者は新規工事点３３１で工事対象光ファイバ心線２５に入力された順方向の試験光からの漏洩光を光フィルタ有無確認装置４１によって受光する。
【００７３】
光フィルタ有無確認装置４１は、曲げ部２６１における試験光からの漏洩光を光電変換素子４２で検出し、パワーモニタ部４３で試験光からの漏洩光のパワーを検知することができる。光電変換素子４２は局舎（上方）からユーザ宅（下方）に向かう試験光からの漏洩光を検知する。
【００７４】
尚、光波長λ１、λ２の光をそれぞれ周波数ｆ１、ｆ２で変調した変調光を用いれば、２波長の光を同時に入力し、同時に受光しても、これらの光を識別して検知することも可能となるため、測定の手間を省くことができる。
【００７５】
このときの光フィルタ有無確認装置４１での受光パワーレベルは次式であらわされる。
Ｐ（λ２）ＵＰ＝Ｐλ２，ｉｎｐｕｔ−Ｌ１λ２−ＳＰλ２−Ｅλ２      （３）
Ｐ（λ２）ＵＰはパワーモニタ部４３において光波長λ２で受光するパワーレベル、
Ｐλ２，ｉｎｐｕｔは光波長λ２の入力パワー、Ｌ１λ２は光波長λ２における新規工事点３３１までの光線路の損失（光スプリッタを除く）、ＳＰλ２は光波長λ２の光スプリッタ１６の損失、Ｅλ２は光波長λ２の光フィルタ有無確認装置４１の損失を表している。
【００７６】
ステップＳ２８において、光電変換素子４２で受光できなかった（ＮＯ）の場合は、ステップＳ２９において、原因を解析し、過剰損失発生、受光感度不足等を検討する。
【００７７】
ステップＳ２８において、光電変換素子４２で受光できた（ＹＥＳ）の場合は、ステップＳ３０において、フィルタ判別処理部４１のメモリに記録する。すなわち、
ΔＭ２−（λ２）ＵＰ＝Ｐ（λ２）ＵＰ
次に、ステップＳ３１において、光フィルタ有無確認装置４１は光電変換素子４２が工事対象光ファイバ心線２５の曲げ部２６２の位置になるように新規工事点３３２に逆方向受光につかみなおされて配置される。ステップＳ３２において、試験者が局舎内の試験光挿入用光カプラから、工事対象光ファイバ心線２５に対して、二波長光源によって光波長λ１を持つ試験光を入力する。二波長光源からの試験光は連続光でも周波数ｆ１で変調された変調光でも良い。
【００７８】
特定の周波数ｆ１で変調された変調光を用いれば、光フィルタ有無確認装置４１のパワーモニタ部４３に変調周波数に応じた帯域フィルタを備えることによって、その変調光のみを検知できる。そのため、例えば、信号光など連続光に準じた他の光の影響を受けることがなくなり、変調光の測定がより確実になる効果がある。
【００７９】
ステップＳ３３において、作業者は新規工事点３３２で工事対象光ファイバ心線２５に入力された試験光からの漏洩光を光フィルタ有無確認装置４１によって受光する。
【００８０】
光フィルタ有無確認装置４１は、曲げ部２６２における試験光からの漏洩光を光電変換素子４２で検出し、パワーモニタ部４３で試験光からの漏洩光のパワーを検知することができる。光電変換素子４２はユーザ宅（下方）から局舎（上方）に向かう逆方向の試験光からの漏洩光を検知する。
【００８１】
このときの光フィルタ有無確認装置４１での受光パワーレベルは次式であらわされる。
Ｐ（λ１）Ｄｏｗｎ＝Ｐλ１，ｉｎｐｕｔ−Ｌ１λ１−ＳＰλ１−Ｅλ１―Ｌ２λ１−γλ１    （２）
Ｐ（λ１）Ｄｏｗｎはパワーモニタ部４３において光波長λ１で受光するパワーレベル、
Ｌ２λ１は光波長λ１の新規工事点３３１から光線路遠端までの往復損失、γλ１は光波長λ１の遠端反射部分における反射減衰量を表している。
【００８２】
後述するが、γλ１は光波長および試験光遮断フィルタの有無によって損失が大きく変化する。
【００８３】
ステップＳ３４において、光電変換素子４２で受光できなかった（ＮＯ）の場合は、ステップＳ３５において、原因を解析し、過剰損失発生、受光感度不足等を検討する。
【００８４】
ステップＳ３４において、光電変換素子４２で受光できた（ＹＥＳ）の場合は、ステップＳ３６において、フィルタ判別処理部４４のメモリに記録する。すなわち、
ΔＭ１−（λ１）Ｄｏｗｎ＝Ｐ（λ１）Ｄｏｗｎ
次に、ステップＳ３７において、試験者が局舎内の試験光挿入用光カプラから、工事対象光ファイバ心線２５に対して、二波長光源によって光波長λ２を持つ試験光を入力する。二波長光源からの試験光は連続光でも周波数ｆ２で変調された変調光でも良い。
【００８５】
特定の周波数ｆ２で変調された変調光を用いれば、光フィルタ有無確認装置４１のパワーモニタ部４３にそれぞれ対応して変調周波数に応じた帯域フィルタを備えることによって、その変調光のみを検知できる。そのため、例えば、信号光など連続光に準じた他の光の影響を受けることがなくなり、変調光の測定がより確実になる効果がある。
【００８６】
ステップＳ３８において、作業者は新規工事点３３２で工事対象光ファイバ心線２５に入力された逆方向の試験光からの漏洩光を光フィルタ有無確認装置４１によって受光する。
【００８７】
光フィルタ有無確認装置４１は、曲げ部２６２における試験光からの漏洩光を光電変換素子４２で検出し、パワーモニタ部４３で試験光からの漏洩光のパワーを検知することができる。光電変換素子４２はユーザ宅（下方）から局舎（上方）に向かう試験光からの漏洩光を検知する。
【００８８】
尚、光波長λ１、λ２の光をそれぞれ周波数ｆ１、ｆ２で変調した変調光を用いれば、２波長の光を同時に入力し、同時に受光しても、これらの光を識別して検知することも可能となるため、測定の手間を省くことができる。
【００８９】
このときの光フィルタ有無確認装置４１での受光パワーレベルは次式であらわされる。
Ｐ（λ２）Ｄｏｗｎ＝Ｐλ２，ｉｎｐｕｔ−Ｌ１λ２−ＳＰλ２−Ｅλ２―Ｌ２λ２−γλ２    （４）
Ｐ（λ２）Ｄｏｗｎはパワーモニタ部４３において光波長λ２で受光するパワーレベル、
Ｌ２λ２は光波長λ２の新規工事点３３２から光線路遠端までの往復損失、γλ２は光波長λ２の遠端反射部分における反射減衰量を表している。
【００９０】
後述するが、γλ２は光波長および試験光遮断フィルタの有無によって損失が大きく変化する。
【００９１】
ステップＳ３９において、光電変換素子４２で受光できなかった（ＮＯ）の場合は、ステップＳ４０において、原因を解析し、過剰損失発生、受光感度不足等を検討する。
【００９２】
ステップＳ３９において、光電変換素子４２で受光できた（ＹＥＳ）の場合は、ステップＳ４１において、フィルタ判別処理部４１のメモリに記録する。すなわち、
ΔＭ２−（λ２）Ｄｏｗｎ＝Ｐ（λ２）Ｄｏｗｎ
次に、フィルタ判別処理部４１の判定ロジックで、図２のステップＳ１１〜Ｓ１５と同様の処理を行う。すなわち、波長レベル差を比較した後に光線路の上下方向のレベル差を比較する手順は、特に１つの光電変換素子で受光する場合に有効で、工事対象光ファイバ心線をつかみなおした時の漏洩光の検出の違いが影響しないようにするメリットがあり（式中ではＥと表現）、１つの光電変換素子方式において漏洩光の検出精度の誤差をカバーすることができる。
【００９３】
尚、図１及び図５に記載の光フィルタ有無確認装置は、パワーモニタ部に周波数ｆ１および周波数ｆ２の帯域フィルタを備えている。このため、それぞれ周波数ｆ１、ｆ２で変調された波長λ１、λ２の変調光を同時に受光し、これらの光を帯域フィルタによって識別して検知することが可能である。
【００９４】
また、フィルタ判別処理部では、図２、図３、図６及び図７のフローチャートに記載の各処理を実行することによって、対象とする光線路の下方端部における光フィルタの有無を判定する。
【００９５】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００９６】
【図１】本発明の一実施形態に係る光フィルタ有無確認システムを示す構成説明図である。
【図２】本発明の実施形態に係る光フィルタ有無確認方法を示すフローチャートである。
【図３】本発明の実施形態に係る光フィルタ有無確認方法を示すフローチャートである。
【図４】本発明の実施形態に係る試験光遮断フィルタ・開放端の波長依存特性を示す図である。
【図５】本発明の他の実施形態に係る光フィルタ有無確認システムを示す構成説明図である。
【図６】本発明の他の実施形態に係る光フィルタ有無確認方法を示すフローチャートである。
【図７】本発明の他の実施形態に係る光フィルタ有無確認方法を示すフローチャートである。
【符号の説明】
【００９７】
１１…通信局の局舎、１２…二波長光源、１３…伝送装置、１４…試験光挿入用光カプラ、１５…光ファイバケーブル、１６…光スプリッタ、１７…現用光ファイバ心線、１８…試験光遮断フィルタ、１９…ユーザ用伝送装置、２０…現用光ファイバ心線、２１…試験光遮断フィルタ、２２…ユーザ用伝送装置、２３…非現用光ファイバ心線、２４…開放端、２５…工事対象光ファイバ心線、２６…曲げ部、２７…光フィルタ有無確認装置、２８…第１の光電変換素子、２９…第２の光電変換素子、３０…第１のパワーモニタ部、３１…フィルタ判別処理部、３２…第２のパワーモニタ部、３３…新規工事点。
【図１】
0004871804.tif 000002
【図２】
0004871804.tif 000003
【図３】
0004871804.tif 000004
【図４】
0004871804.tif 000005
【図５】
0004871804.tif 000006
【図６】
0004871804.tif 000007
【図７】
0004871804.tif 000008